(57)【要約】【課題】  本考案は、木造住宅のコンクリート製基礎部と、その上に立設される土台との間に用いられる土台用建築要素において、特にコーナー部や連結部に隙間が発生する恐れがない土台用建築要素を提供するものである。【解決手段】  本考案の土台用建築要素は、基礎コンクリートの上端面と同等の幅を有し、所定長さと所定厚さの合成樹脂から一体に形成され、端部には上下に貫通した嵌合切り欠き部を設け、上面には横断方向に並列に多数の微細な凹溝を形成したベースプロテック１と、前記嵌合切り欠き部に嵌合するジョイント駒６を個別に形成したものである。  前記ベースプロテック１は、平面視でＩ型、Ｌ型、十字型及びＴ型とから構成されるものである。【選択図】  図７
0003104035.tif 000002
【実用新案登録請求の範囲】
【請求項１】
基礎コンクリートの上端面と同等の幅を有し、所定長さと所定厚さの合成樹脂から一体に形成され、端部には上下に貫通した嵌合切り欠き部を設け、上面には横断方向に並列に多数の微細な凹溝を形成したベースプロテックと、前記嵌合切り欠き部に嵌合するジョイント駒を個別に形成したことを特徴とする土台用建築要素。
【請求項２】
前記ベースプロテックは、平面視でＩ型、Ｌ型、十字型及びＴ型とから構成されることを特徴とする請求項１記載の土台用建築要素。
【考案の詳細な説明】
【技術分野】
【０００１】
本考案は、建築物、特に木造住宅のコンクリート製基礎部と、その上に立設される土台との間に用いられる土台用建築要素に関する。
【背景技術】
【０００２】
建築物、特に木造住宅の場合には、コンクリート製基礎部の垂直に立ち上がった垂直壁上端面に木製の土台を直接乗せてアンカーボルトにより固定している。
この構造であると、コンクリート製基礎部と土台との間の縁切り、すなわちコンクリート製基礎部から土台への水分の移動を防止することができないし、シロアリの被害にも遭うことになる。
これを解消するため、コンクリート製基礎部と土台との間に凹凸面を有する弾性合成樹脂シートを設けることが公知となっている（特許文献１を参照）。
しかし、上記公知技術は、弾性合成樹脂シートにおけるコーナー部やシート同士の連結部に対して何ら考慮されておらず、コーナー部やシート同士の連結部に隙間が発生する恐れがあった。
【０００３】
【特許文献１】特開２００２−７０１８５号公報
【考案の開示】
【考案が解決しようとする課題】
【０００４】
本考案は、木造住宅のコンクリート製基礎部と、その上に立設される土台との間に用いられる土台用建築要素において、特にコーナー部や連結部に隙間が発生する恐れがない土台用建築要素を提供するものである。
【課題を解決するための手段】
【０００５】
本考案の土台用建築要素は、基礎コンクリートの上端面と同等の幅を有し、所定長さと所定厚さの合成樹脂から一体に形成され、端部には上下に貫通した嵌合切り欠き部を設け、上面には横断方向に並列に多数の微細な凹溝を形成したベースプロテックと、前記嵌合切り欠き部に嵌合するジョイント駒を個別に形成したものである。
前記ベースプロテックは、平面視でＩ型、Ｌ型、十字型及びＴ型とから構成されるものである。
【考案の効果】
【０００６】
本考案の土台用建築要素によれば、合成樹脂、例えば廃プラスチック加工材より形成されているので、基礎コンクリートから土台部に水分等の浸潤を止める効果がある。
本考案の土台用建築要素によれば、合成樹脂、例えば廃プラスチック加工材より形成されているので、土台部材の乾燥による高耐年数、腐食菌の発生の防止、家シロアリの食害防止等の効果がある。
本考案の土台用建築要素の上面の凹凸は、内外の通気孔の効果により基礎コンクリート上面の水分を除去し土台部材を保護する。
【考案を実施するための最良の形態】
【０００７】
本考案の土台用建築要素は、平面視でＩ型ベースプロテック、Ｌ型ベースプロテック、十字型ベースプロテック及びＴ型ベースプロテックと、各ベースプロテックを連結するジョイント駒とから構成される。
本考案の土台用建築要素は、基礎コンクリートの上端面と同等の幅を有し、所定長さと所定厚さの合成樹脂から一体に形成され、端部には上下に貫通した嵌合切り欠き部を設け、上面には横断方向に並列に多数の微細な凹溝を形成したベースプロテックと、前記嵌合切り欠きに嵌合するジョイント駒を個別に形成したものである。
【実施例】
【０００８】
以下、本考案の一実施例を図面に基づいて説明すると、
図１に示すように、本考案のＩ型ベースプロテック１は、基礎コンクリートの上端面と同等の幅を有し、所定長さと所定厚さの細長直方体からなり、合成樹脂から一体に形成される。
具体的には、基礎コンクリートの上端面と同等の幅１２０ｍｍに対し約４倍の長さを有し、該長さに対し約１０分の１の厚さを有する幅１２０ｍｍ×長さ５００ｍｍ×厚さ５０ｍｍの細長直方体を形成するが、基礎コンクリートの上端面の幅に合わせて前記Ｉ型ベースプロテック１の寸法を変更することができる。
図２の平面図に示すように、前記Ｉ型ベースプロテック１の両端中央部には、前記基礎コンクリート幅の２分の１の幅で奥行きが更に２分の１である、上下に貫通した嵌合切り欠き部２を形成する。
具体的には、幅６０ｍｍ×奥行き３０ｍｍの上下に貫通したコ字形の嵌合切り欠き部２をそれぞれ両端中央部に形成する。
そして、前記Ｉ型ベースプロテック１の中央部には、基礎コンクリートに固定されたアンカーボルトが上下に貫通するアンカーボルト穴３を形成する。
図３の側面図に示すように、前記Ｉ型ベースプロテック１のアンカーボルト穴３を挟んで前記Ｉ型ベースプロテック１の内部に２個平行に前記嵌合切り欠き部２同士を連通する断面矩形の連通孔４を形成する。
さらに、図４に示すように、前記Ｉ型ベースプロテック１の上面には、横断方向、すなわち床下空間と外部空気とが通気する方向に並列に多数の微細な凹溝５を形成する。
具体的には、図５に示すように、平坦部１０の幅が３ｍｍ、深さ１１が２ｍｍ、底幅１２が２ｍｍで並列に微細な凹溝５を形成する。
【０００９】
次に、ジョイント駒６、前記嵌合切り欠き部２に嵌合させて前記Ｉ型ベースプロテック１を連結するジョイント駒６について説明する。
図６に示すように、ジョイント駒６は前記Ｉ型ベースプロテック１と同様に合成樹脂から一体に形成され、前記Ｉ型ベースプロテック１の嵌合切り欠き部２に嵌合する縦６０ｍｍ×横６０ｍｍ×高さ５０ｍｍの立方体からなり、上面には前記凹溝５と同一形状で同一方向に微細な凹溝５が形成されている。
なお、前記凹溝５は、多数並列の一辺端から他辺端に向う平坦部３ｍｍに対し溝２ｍｍの幅であれば良く、嵌合時に姿勢を変更して前記Ｉ型ベースプロテック１の凹溝５と同一方向となるようにすれば良い。
図７に示すように、前記Ｉ型ベースプロテック１の端部同士を接合させ、接合により形成された矩形空間部に前記ジョイント駒６を上から嵌合すれば、前記Ｉ型ベースプロテック１は左右動不能に連結される。
したがって、基礎コンクリートの長さに応じて複数の前記Ｉ型ベースプロテック１を連続して前記ジョイント駒６により連結することができる。
なお、前記Ｉ型ベースプロテック１とジョイント駒６とを連結する場合について説明したが、後述するＬ型ベースプロテック７や十字型ベースプロテック８においても、同様にそれぞれを組合せて連結することができる。
【００１０】
さらに、基礎コンクリートは、直線部に限らず、コーナー部を有しているので、以下Ｌ型ベースプロテック７及び十字型ベースプロテック８について説明する。
図８に示すように、前記Ｌ型ベースプロテック７は、基礎コンクリートの上端面と同等の幅を有し、該幅に対し約４倍の長さを有し、該長さに対し約１０分の１の厚さを有する細長直方体の端部を直角に重ねて接合したものに相当し、合成樹脂から一体に形成される。
そして、前記Ｌ型ベースプロテック７の両端部には、前記Ｉ型ベースプロテック１と同様に基礎コンクリート幅の２分の１の幅で奥行きが更に２分の１である、上下に貫通した嵌合切り欠き部２を形成し、また各辺にはアンカーボルトが上下に貫通するアンカーボルト穴３をそれぞれに形成するし、さらに上面には図７に図示していないが横断方向に並列の平坦部３ｍｍに対し溝２ｍｍの幅で多数の微細な凹溝を形成する。
また、前記Ｌ型ベースプロテック７の内部には、前記アンカーボルト穴３の近傍から始まり前記嵌合切り欠き部２に至る断面矩形の長孔９をそれぞれ平行に形成する。
【００１１】
図９に示すように、前記十字型ベースプロテック８は、基礎コンクリートの上端面と同等の幅を有し、該幅に対し約４倍の長さを有し、該長さに対し約１０分の１の厚さを有する細長直方体の中央部を十字に重ねて接合したものに相当し、合成樹脂から一体に形成される。
そして、前記十字型ベースプロテック８の端部には、前記Ｉ型ベースプロテック１と同様に基礎コンクリート幅の２分の１の幅で奥行きが更に２分の１である、上下に貫通した嵌合切り欠き部２を形成し、また各辺にはアンカーボルトが上下に貫通するアンカーボルト穴３をそれぞれに形成するし、さらに上面には図８に図示していないが横断方向に並列の平坦部３ｍｍに対し溝２ｍｍの幅で多数の微細な凹溝を形成する。
また、前記十字型ベースプロテック８の内部には、前記アンカーボルト穴３の近傍から始まり前記嵌合切り欠き部２に至る断面矩形の長孔９をそれぞれ平行に形成する。
なお、Ｔ型ベースプロテックは、必要に応じて十字型ベースプロテックの一辺をカットすることにより形成することができる。
【図面の簡単な説明】
【００１２】
【図１】Ｉ型ベースプロテックの斜視図である。
【図２】Ｉ型ベースプロテックの平面図である。
【図３】Ｉ型ベースプロテックの側面図である。
【図４】Ｉ型ベースプロテックの正面図である。
【図５】凹溝の拡大正面図である。
【図６】ジョイント駒の斜視図である。
【図７】ベースプロテックとジョイント駒の連結を説明する斜視図である。
【図８】Ｌ型ベースプロテックの斜視図である。
【図９】十字型ベースプロテックの斜視図である。
【符号の説明】
【００１３】
１  Ｉ型ベースプロテック
２  嵌合切り欠き部
３  アンカーボルト穴
４  連通孔
５  凹溝
６  ジョイント駒
７  Ｌ型ベースプロテック
８  十字型ベースプロテック
９  長孔
１０  平坦面
１１  深さ
１２  底幅
【図１】
0003104035.tif 000003
【図２】
0003104035.tif 000004
【図３】
0003104035.tif 000005
【図４】
0003104035.tif 000006
【図５】
0003104035.tif 000007
【図６】
0003104035.tif 000008
【図７】
0003104035.tif 000009
【図８】
0003104035.tif 000010
【図９】
0003104035.tif 000011